(57)【特許請求の範囲】
【請求項１】
硬質の耐油性合成樹脂の円盤状のピストン本体と、柔軟な耐油性合成樹脂のドーナツ状のシール板とより構成され、ピストン本体は周端の一面に第一のフランジが形成され、他面に第一のフランジより小さい径の第二のフランジが形成され、前記シール板は前記第二のフランジの外径より小さい内径の内周部に多数の七分円形の切欠が形成され、前記ピストン本体は射出成形でシール板の内周部を埋設して一体成形されていることを特徴とする流量計のピストン。
【請求項２】
前記ピストン本体は、中心部にピストン杆の取り付け穴が形成され、前記シール板は、第二のフランジの外径より小さい内径を有し、前記ピストン本体の外径より大きい外径を有している請求項１記載の流量計のピストン。
【請求項３】
前記シール板の外周部は第二のフランジ側へ湾曲されている請求項１または２記載の流量計のピストン。
【発明の詳細な説明】
【０００１】
【発明の属する技術分野】
本発明は、自動車等へ燃料油を給油する計量機に使用されている流量計のピストンに関するものである。
【０００２】
【従来の技術】
燃料油を給油する計量機に使用されている流量計のピストンは、特開昭６３ー２９８１２１号に示されているように、柔軟な耐油性合成樹脂のドーナツ状のシール板を、円盤状の２枚の金属板で挟んで構成されている。このように、シール板を金属板で挟んでボルトで止めているので、シール性が悪く、液漏れが生じて計量精度が悪くなることがある。また、部品点数が多く、組立工数が掛かり、高価なものとなっていた。
【０００３】
【発明が解決しようとする課題】
そこで本発明は、シール板とピストン本体との接合面から液漏れが生ずることがなく、部品点数及び組立工数を減らした、安価な流量計のピストンを提供することである。
【０００４】
【課題を解決するための手段】
前記目的を達成するために、本発明は、第１に、硬質の耐油性合成樹脂の円盤状のピストン本体と、柔軟な耐油性合成樹脂のドーナツ状のシール板とより構成され、ピストン本体は周端の一面に第一のフランジが形成され、他面に第一のフランジより小さい径の第二のフランジが形成され、前記シール板は前記第二のフランジの外径より小さい内径の内周部に多数の七分円形の切欠が形成され、前記ピストン本体は射出成形でシール板の内周部を埋設して一体成形されていること、第２に、前記ピストン本体は、中心部にピストン杆の取り付け穴が形成され、前記シール板は、第二のフランジの外径より小さい内径を有し、前記ピストン本体の外径より大きい外径を有していること、第３に、前記シール板の外周部は第二のフランジ側へ湾曲されていることを要旨とするものである。
【０００５】
本発明によれば、前記ピストン本体は、中心部にピストン杆の取り付け穴が形成され、周端の一面に第一のフランジが形成され、他面に第一のフランジより小さい径の第二のフランジが形成され、前記シール板は、第二のフランジの外径より小さい内径を有し、前記ピストン本体の外径より大きい外径を有しているので、流量計のピストンとして充分な強度が得られる。
【０００６】
また、前記シール板は、前記第二のフランジの外径より小さい内径の内周部に多数の七分円形の切欠が形成されているので、シール板とピストン本体との結合が良くなり、シール板がピストン本体から剥離することがなくなる。
【０００７】
そして、前記シール板の外周部は第二のフランジ側へ湾曲されているので、シール板の湾曲部の長さが大きくとれて弾性が高く、シリンダー面とのシール性が高く、かつ高いシール性が長く保たれるようになる。
【０００８】
【発明の実施の形態】
以下、本発明の実施の形態を説明する。図１、２、３に示すように、本発明の流量計のピストン１は、硬質の耐油性合成樹脂の円盤状のピストン本体２と、柔軟な耐油性合成樹脂のドーナツ状のシール板３とより構成され、ピストン本体２は射出成形でシール板３の内周部３ａを埋設して一体成形されている。このようにピストン本体とシール板とは一体成形されているので、シール板とピストン本体との接合面から液漏れが生ずることがなく、組立の必要がなくなり安価なピストンとなる。
【０００９】
ピストン本体２を形成している硬質の耐油性合成樹脂としては、例えば、ポリフェニレンサルファイド（ＰＰＳ）、６６ナイロン、４６ナイロンにガラス繊維等の補強材を充填したもの、液晶性芳香族ポリエステル樹脂、ポリアミドイミド、ポリイミド、ポリエーテルニトリル等が好適に使用できる。
【００１０】
また、シール板３を形成している柔軟な耐油性合成樹脂としては、例えば、ポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）等のフッ素樹脂が好適に使用できる。
【００１１】
ピストン本体２は、中心部にピストン杆の取り付け穴２ａが形成され、周端の一面に直径ｄ１が約７０ミリメートルの第一のフランジ２ｂが形成され、他面に第一のフランジ２ｂより小さい直径ｄ２が約６４ミリメートルの第二のフランジ２ｃが形成されている。そして穴２ａと各フランジ２ｂ、２ｃとの間にはリブ２ｄ、２ｅが設けられている。このようにピストン本体の外周にはフランジが設けられ、穴と各フランジとの間にはリブが設けられているので、流量計のピストンとして充分な強度が得られる。
【００１２】
シール板３は、第二のフランジ２ｃの外径より小さい直径ｄ３が約５８ミリメートルの内径を有し、第一のフランジ２ｂの外径より大きい直径ｄ４が約７６ミリメートルの外径を有し、内周部３ａには直径ｄ５が約３ミリメートルの七分円形の切り欠き３ｃが形成されている。そして、シール板３の内周部３ａはピストン本体２に埋設されている。このようにシール板の内周部には切り欠きが形成されているので、抵抗が少なくなり、射出成形される樹脂の流れによりシール板が曲がることがなく、ピストン本体から露出することがない。また、切り欠きは七分円形であるので、切り欠きの端部が狭まり、樹脂との噛み合いが強固となり、シール板がピストン本体から剥離することがなくなる。
【００１３】
このピストンを作るには、図４に示すように、ピストン本体２の成形空間とシール板３の挟持空間とを有する金型５ａ、５ｂでシール板３の外周部３ｂを挟持し、ピストン本体２の成形空間内へ硬質の耐油性合成樹脂を注入して射出成形する。
【００１４】
そして、図５に示すように、ピストン１のシール板３の外周部３ｂを第二のフランジ２ｃ側へ湾曲し、穴２ａにピストン杆６を挿入されてナット７で固定し、流量計のシリンダー８に組み込む。このようにシール板の外周部は第二のフランジ側へ湾曲されるので、シール板の湾曲部の長さが大きくとれて弾性が高くなり、シリンダー面とのシール性が高く、かつ高いシール性が長く保たれるようになる。
【００１５】
【発明の効果】
以上説明したように本発明は、硬質の耐油性合成樹脂の円盤状のピストン本体と、柔軟な耐油性合成樹脂のドーナツ状のシール板とより構成され、前記ピストン本体は射出成形でシール板の内周部を埋設して一体成形されているので、シール板とピストン本体との接合面から液漏れが生ずることがなく、部品点数及び組立工数が減って、安価な流量計のピストンとなる。
【図面の簡単な説明】
【図１】  本発明のピストンの平面図である。
【図２】  本発明のピストンの断面図である。
【図３】  本発明のピストンのシール板の平面図である。
【図４】  本発明のピストンの作り方を説明する図である。
【図５】  本発明のピストンを流量計のシリンダーに組み込んだ断面図である。
【符号の説明】
１  ピストン
２  ピストン本体
２ａ  穴
２ｂ  第一のフランジ
２ｃ  第二のフランジ
２ｄ、２ｅ  リブ
３  シール板
３ａ  内周部
３ｂ  外周部
３ｃ  切り欠き
【図１】
0003695025.tif 000002
【図２】
0003695025.tif 000003
【図３】
0003695025.tif 000004
【図４】
0003695025.tif 000005
【図５】
0003695025.tif 000006